(57)【要約】  【課題】  シノ具の作業を含む各種建築関連作業を行なう場合に、作業者の腰に取り付ける工具の数を減らすことができ、シノ具に係る作業と他の作業に係る工具の取り替え回数を減らして作業効率を向上させることができる工具を提供する。  【解決手段】  シノ部付き工具１は、全体が軸方向Ｊに長い軸部２を有した工具であり、前記軸部２の一端側に形成された第１工具部３と、軸部２回りに設けられた把持部４と、前記軸部２の他端側に形成された第２工具部５としてのシノ部５ａを有している。【選択図】  図１
0003203606.tif 000002
【実用新案登録請求の範囲】
【請求項１】
全体が軸方向に長い軸部を有した工具であり、前記軸部の一端側に形成された第１工具部と、前記軸部の他端側に形成された第２工具部としてのシノ部を有していることを特徴とするシノ部付き工具。
【請求項２】
請求項１に記載のシノ部付き工具において、前記第１工具部を金槌部で形成し、前記シノ部が前記軸方向に沿って直線形に形成されているシノ部付き工具。
【請求項３】
請求項１に記載のシノ部付き工具において、前記第１工具部を金槌部で形成し、前記シノ部が前記軸方向から左右方向に曲がった曲線形に形成されているシノ部付き工具。
【請求項４】
請求項２〜請求項３にいずれか一つに記載のシノ部付き工具において、前記軸部回りに把持部を設け、前記把持部を手の滑りを抑制する高摩擦抵抗部で形成したシノ部付き工具。
【請求項５】
請求項１に記載のシノ部付き工具において、前記第１工具部をモンキーレンチで構成したシノ部付き工具。
【請求項６】
請求項５に記載のシノ部付き工具において、前記第１工具部をモンキーレンチで構成した場合において、前記軸方向に直交する横断面が略円形の前記軸部を採用したシノ部付き工具。
【請求項７】
請求項４〜請求項６にいずれか一つに記載のシノ部付き工具において、前記第１工具部寄りの前記軸部に紐部を取り付ける係止穴を設けたシノ部付き工具。
【考案の詳細な説明】
【技術分野】
【０００１】
本考案は建築分野において、針金を結束する等の作業において使用するシノ具として機能するシノ部を備えた工具に関する。
【背景技術】
【０００２】
従来、交差する線材，鉄筋等を結束する場合は、例えば、略Ｕ字形に折り曲げた金属製の結束線（針金）を用いて、線材，鉄筋の交差部分に位置させた後、シノ具を用いて結束線を手回しによって結束状態にしている。
また、シノ具の尖った先端を建築作業に係わる各種部材に係合させて、その各種部材に力をかける作業にも使用される。
【０００３】
例えば、線材の結束具として、下記特許文献１には専用の結束具を用いる方法が開示されている。
また、金槌（ハンマー）として各種の構成が提案されており、ハンマーの柄部に釘打ち補助具を収納できる構成が提案されている（下記特許文献２）。
【先行技術文献】
【特許文献】
【０００４】
【特許文献１】特開２００３−１８４２２３
【特許文献２】特開平０９−４７９７９
【考案の開示】
【考案が解決しようとする課題】
【０００５】
しかしながら、建設作業に必要な道具を腰に取り付けて各種作業を行なう場合に、道具の数が増えることで腰にかかる重さが大きくなり、疲労が増すという課題があった。また、結束作業以外の作業を行なう場合にシノ具と他の作業に係る工具を取り替える回数が多くなり、作業効率も低下するという課題があった。
本考案は上記課題に鑑みてなされたものであり、本考案の目的は上記課題を解決できるシノ部付き工具を提供することにある。
【０００６】
具体的な目的の一例を示すと、以下の通りである。
（ａ）シノ具の作業を含む各種建築関連作業を行なう場合に、作業者の腰に取り付ける工具の数を減らすことができる工具を提供する。
（ｂ）シノ具の作業を含む各種建築関連作業を行なう場合に、シノ具に係る作業と他の作業に係る工具の取り替え回数を減らして作業効率を向上させることができる工具を提供する。
なお、上記に記載した以外の考案の課題、その解決手段及びその効果は、後述する明細書内の記載において詳しく説明する。
【課題を解決するための手段】
【０００７】
本考案は多面的に表現できるが、例えば、代表的なものを挙げると、次のように構成したものである。なお、下記各考案において、各符号は後述する実施形態との対応関係を分かりやすくするために一例として示したものであり、本考案の各構成要素は、実施形態に記載した符号に係る構成に限定されないことは言うまでもない。
【０００８】
第１考案に係るシノ部付き工具１は、全体が軸方向Ｊに長い軸部２を有した工具であり、前記軸部２の一端側に形成された第１工具部３と、前記軸部２の他端側に形成された第２工具部５としてのシノ部５ａを有していることを特徴とする。
【０００９】
この考案であれば、一端側に形成された第１工具部によって建築作業に係る作業を行なうことができるとともに、同じ一つの工具でありながらも他端側に形成されたシノ部によってシノ具の作業を行なうことができる。したがって、作業者の腰に取り付ける工具の数を減らすことができ、かつシノ部に係る作業と他の作業に係る工具部の取り替え回数を減らして作業効率を向上させることができる。
【００１０】
第２考案は、前記第１工具部３を金槌部３ａで形成し、前記シノ部５ａが前記軸方向Ｊに沿って直線形に形成されていることを特徴とする。
この考案であれば、工具の中で比較的、重量の大きい金槌とシノ具を一つの工具にまとめることで、作業者の負担を減らすことができるとともにシノ部が直線であることによって行ないやすい作業に適した構成になる。
【００１１】
第３考案は、前記第１工具部３を金槌部３ａで形成し、前記シノ部５ａが前記軸方向Ｊから左右方向Ｓに曲がった曲線形に形成されていることを特徴とする。
この考案であれば、工具の中で比較的、重量の大きい金槌とシノ具を一つの工具にまとめることで、作業者の負担を減らすことができるとともにシノ部が曲がっていることによって行ないやすい作業に適した構成になる。
【００１２】
第４考案は、前記軸部２回りに把持部４を設け、前記把持部４を手の滑りを抑制する高摩擦抵抗部７で形成したことを特徴とする。
この考案であれば、滑りやすい把持部である場合に比べて、把持部に滑りを抑制する高摩擦抵抗部で形成したので、工具を操作する場合に、手が滑るという不都合を抑制することができる。
【００１３】
第５考案は、前記第１工具部３をモンキーレンチ３ｂで構成したことを特徴とする。
この考案であれば、係合できるボルト頭の大きさを変えることができるモンキーレンチにシノ部を組み合わせることで作業者の負担を減らすことができる。
第６考案は、前記第１工具部３をモンキーレンチ３ｂで構成した場合において、前記軸方向Ｊに直交する横断面が略円形の前記軸部２を採用したことを特徴とする。
この考案であれば、軸部を前記構成とすることで、モンキーレンチの回転操作と、シノ部の操作を共に良好に行なうことができる。
【００１４】
第７考案は、前記第１工具部３寄りの前記軸部２に紐部８を取り付ける係止穴６を設けたことを特徴とする。
この考案であれば、第１工具部寄りの軸部に係止穴を設けることで紐部を介して腰などに工具をぶら下げやすくなる。
【考案の効果】
【００１５】
以上説明したように、本考案であれば、シノ具の作業を含む各種建築関連作業を行なう場合に、作業者の腰に取り付ける工具の数を減らすことができた。また、シノ具に係る作業と他の作業に係る工具の取り替え回数を減らして作業効率を向上させることができる工具を提供できた。
【図面の簡単な説明】
【００１６】
【図１】本考案の第１実施形態を示すシノ部付き工具の斜視図である。
【図２】第１実施形態に係るシノ部付き工具の正面図である。
【図３】第１実施形態に係るシノ部付き工具の平面図である。
【図４】第１実施形態に係るシノ部が曲がった構成を示す正面図である。
【図５】第２実施形態に係るモンキーレンチを第１工具部に採用した構成を示す正面図である。
【考案を実施するための形態】
【００１７】
以下、本考案の実施の形態を図面に基づき説明する。
図１〜図４に示すように、このシノ部付き工具１は、全体が軸方向Ｊに長い軸部２を有した工具であり、前記軸部２の一端側に形成された第１工具部３と、軸部２に設けられた把持部４と、前記軸部２の他端側に形成された第２工具部５としてのシノ部５ａを有している。
【００１８】
また、第１実施形態に示す構成では、第１工具部３として金槌部３ａが採用してある場合が示してある。金槌部３ａの形状は一般に採用されている各種の金槌の形状やハンマーの形状が採用できる。金槌部３ａは軸部２の軸方向Ｊに対して左右対称形に構成してもよく、また、非対称形にも構成することができる。
金槌部３ａと軸部２は共に金属で構成されることが多い。また、軸部２の金槌側の左右方向のほぼ中心部に工具をぶら下げるための紐部の係止穴６が形成してある。係止穴６は把持部４内又は把持部４の少し上の位置に配置することができる。
【００１９】
また、紐部８としては繊維材や金属線材などが例示できる。但し、把持部４において工具を持ちやすいようにその紐部８を変化できる構成にすることが好ましい。
「工具を持ちやすいようにその紐部８を変化できる構成」の例としては紐部を柔らかく強い合成樹脂繊維等の紐材で構成する方法や、例えば、コ字形の金属線材を係止穴６において回転できるように構成する方法などがある。
【００２０】
第１工具部３として金槌部３ａを採用した場合、金槌部３ａ側の重量がシノ部５ａ側の重量が大きくなるので、腰にぶら下げた時の安定性から金槌部３ａ側寄りに係止穴６を設けることが好ましい。
また、シノ部５ａは先細の形状であるからその部分に係止穴６を設けるより、第１工具部３側に紐を挿通する係止穴を設けた方が吊り下げたときのバランスが良くなる利点もある。
【００２１】
また、軸部２に形成される把持部４には高摩擦抵抗部７が形成してある。高摩擦抵抗部７としては、摩擦抵抗を増す凹凸部や把持部に固定された滑り抑制ゴム部（ゴムグリップ部）などで構成される。この高摩擦抵抗部７内の上部位置に係止穴６を設けても良い。
【００２２】
シノ部５ａについては図１〜図４に示す構成では、軸方向Ｊに沿って直線形に延びるシノ部５ａを形成した構成が示してある。シノ部５ａは左右方向の横断面図がほぼ円形になるように形成することが多い。
一方、図４に示す構成は、シノ部５ａが軸方向Jから左右一方方向に曲がるようにシノ部５ａが形成された構成を示している。建築作業の種類によっては曲がったシノ部５ａを採用した方が作業がしやすい場合があるからである。
【００２３】
次に、このシノ部付き工具の作用を簡単に説明する。
通常、とび職などの建築作業においては、腰に工具を吊り下げて作業を行なうことが多い。この場合、シノ具と金槌は金属で形成され、手で握る軸部が必要であるから、工具の大きさが長くなり、重量も重くなる。したがって、金槌とシノ具を一つの工具に一体化することで、腰に下げる工具の数、重量を減らすことができる。
【００２４】
しかも、本実施形態の構成では、重量が大きく左右方向に突出する金槌部３ａ寄りに紐部８の係止穴６を設けてあるので、金槌部３ａを下側に吊り下げた場合に比べてバランスが良くなる。また、シノ部５ａに紐部８の係止穴６を設けることはシノ具としての作業性が悪くなる。
【００２５】
［第２実施形態］
この第２実施形態に係るシノ部付き工具は第１工具部３をモンキーレンチ３ｂで構成したことを特徴としている。モンキーレンチ３ｂとシノ部５ａは共に金属で構成されることが多く、両端に工具部を設ける場合に好適である。
モンキーレンチ３ｂは各種径のボルトを回すことができる汎用性のある工具であり、色々な大きさのボルトが多数種類使用されている建築現場では、シノ部５ａを備えることで腰にぶら下げる工具の数を減らすことができる。
【００２６】
本考案は上記実施形態以外にも本考案の要旨を変更しない範囲で種々の変形を行うことが可能である。
（１）金槌部３ａとシノ部５ａはある程度の重さがある方が作業しやすいので、一般には金属が使用されるがその他の強化プラスチック部材で製造することも可能である。
（２）係止穴６の構成として紐部８を通すことができる挿通孔や、紐部８に固定された紐側の係合端部を嵌め込むことができる一対の穴を軸部２に設ける構成がある。
【符号の説明】
【００２７】
１…シノ部付き工具
２…軸部
３…第１工具部
３ａ…金槌部
３ｂ…モンキーレンチ
４…把持部
５…第２工具部
５ａ…シノ部
６…係止穴
７…高摩擦抵抗部
８…紐部
Ｊ…軸方向
Ｓ…左右方向
【図１】
0003203606.tif 000003
【図２】
0003203606.tif 000004
【図３】
0003203606.tif 000005
【図４】
0003203606.tif 000006
【図５】
0003203606.tif 000007